【手続補正書】
【提出日】平成17年4月26日(2005.4.26)
【手続補正１】
【補正対象書類名】特許請求の範囲
【補正対象項目名】全文
【補正方法】変更
【補正の内容】
【特許請求の範囲】
【請求項１】
ターゲットが設定された番組を自宅外にいるユーザに供給する番組供給方法であって、
ユーザ識別情報とユーザ・プロファイルとのうちの少なくとも一方を受信する受信工程と、
前記少なくとも一方のユーザ識別情報とユーザ・プロファイルに少なくとも部分的に基づいて番組を選択する選択工程と、
その番組を自宅外にいるユーザに提供するために供給する供給工程と
を含む番組供給方法。
【請求項２】
前記ユーザ識別情報が受信され、当該番組供給方法が、そのユーザ識別情報に関連付けてユーザ・プロファイルを取得する取得工程をさらに含む請求項１に記載の番組供給方法。
【請求項３】
前記番組が、前記ユーザ・プロファイルに少なくとも部分的に基づいて選択される請求項２に記載の番組供給方法。
【請求項４】
当該番組供給方法が、前記ユーザ・プロファイルをデータベースから取得することによって実施される請求項２に記載の番組供給方法。
【請求項５】
当該番組供給方法が、メモリとデータ記憶装置とから成るグループから選択された装置から前記ユーザ・プロファイルを取得することによって実施される請求項２に記載の番組供給方法。
【請求項６】
当該番組供給方法が、前記ユーザ識別情報の受信と、前記ユーザ・プロファイルの取得と、前記番組の選択と、前記番組の供給とから成るグループから選択された１つ以上の機能を実現するためにコントローラを利用することによって実施される請求項２に記載の番組供給方法。
【請求項７】
ターゲットが設定された番組を自宅外にいるユーザに提供する番組提供システムであって、
（ａ）提供装置と、
（ｂ）その提供装置に接続されたコントローラと
を含み、そのコントローラが、ユーザ識別情報とユーザ・プロファイルとのうちの少なくとも一方を受信すると、そのコントローラが、前記少なくとも一方のユーザ識別情報とユーザ・プロファイルに少なくとも部分的に基づいて番組を取得し、その番組を自宅外にいるユーザに提供するために提供装置に供給する番組提供システム。
【請求項８】
ターゲットが設定された番組を自宅外にいるユーザに提供する番組提供システムであって、
（ａ）ユーザ識別情報とユーザ・プロファイルとのうちの少なくとも一方を受信する入力装置と、
（ｂ）その入力装置に接続され、前記前記少なくとも一方のユーザ識別情報とユーザ・プロファイルに少なくとも部分的に基づいて番組を選択するコントローラと、
（ｃ）そのコントローラに接続され、前記番組を自宅外にいるユーザに提供する提供装置と
を含む番組提供システム。
【請求項９】
製造物であって、
コンピュータに、
ユーザ識別情報を受信させ、
そのユーザ識別情報に関連付けてユーザ・プロファイルを取得させ、
そのユーザ・プロファイルに少なくとも部分的に基づいて番組を選択させ、さらに、
その番組を自宅外にいるユーザに提供するために供給させる、コンピュータ読み取り可能な番組コード手段を有するコンピュータ読み取り可能媒体を含む製造物。
【請求項１０】
送信媒体内に具現化されたコンピュータ・データ信号であって、
ユーザ識別情報を有するコード・セグメントと、
そのユーザ識別情報に関連付けられたユーザ・プロファイルを有するコード・セグメントと、
自宅外にいるユーザに提供するための番組を有するコード・セグメントと
を含み、その番組が、前記ユーザ・プロファイルに少なくとも部分的に基づいて選択されるコンピュータ・データ信号。
【請求項１１】
ターゲットが設定された番組を自宅外にいるユーザに提供する番組提供システムであって、
（ａ）ユーザ識別情報とユーザ・プロファイルとのうちの少なくとも一方を受信する受信手段と、
（ｂ）前記少なくとも一方のユーザ識別情報とユーザ・プロファイルに少なくとも部分的に基づいて番組を取得する番組取得手段と、
（ｃ）その番組を自宅外にいるユーザに提供する番組提供手段と
を含む番組提供システム。
【手続補正２】
【補正対象書類名】明細書
【補正対象項目名】０００８
【補正方法】変更
【補正の内容】
【０００８】
本発明は、また、ターゲット設定番組をユーザに提供する方法を含んでいる。この方法は、ユーザに関連付けられたユーザ識別情報を受信する工程と、そのユーザ識別情報に関連付けられたユーザ・プロファイルを検索する工程と、そのユーザ・プロファイルの少なくとも一部に基づいて（そのユーザ・プロファイルに少なくとも部分的に基づいて）番組を選択する工程と、その番組を自宅外にいるユーザに提供する工程とを含んでいる。
本発明によれば、下記の様態が提供される。
（１）  ターゲットが設定された番組を自宅外にいるユーザに供給する番組供給方法であって、
ユーザ識別情報とユーザ・プロファイルとのうちの少なくとも一方を受信する受信工程と、
前記少なくとも一方のユーザ識別情報とユーザ・プロファイルに少なくとも部分的に基づいて番組を選択する選択工程と、
その番組を自宅外にいるユーザに提供するために供給する供給工程と
を含む番組供給方法。
（２） 前記ユーザ識別情報が受信され、当該番組供給方法が、そのユーザ識別情報に関連付けてユーザ・プロファイルを取得する取得工程をさらに含む（１）項に記載の番組供給方法。
（３）  前記番組が、前記ユーザ・プロファイルに少なくとも部分的に基づいて選択される（２）項に記載の番組供給方法。
（４）  当該番組供給方法が、前記ユーザ・プロファイルをデータベースから取得することによって実施される（２）項に記載の番組供給方法。
（５）  当該番組供給方法が、メモリとデータ記憶装置とから成るグループから選択された装置から前記ユーザ・プロファイルを取得することによって実施される（２）項に記載の番組供給方法。
（６）  当該番組供給方法が、前記ユーザ識別情報の受信と、前記ユーザ・プロファイルの取得と、前記番組の選択と、前記番組の供給とから成るグループから選択された１つ以上の機能を実現するためにコントローラを利用することによって実施される（２）項に記載の番組供給方法。
（７）  前記ユーザ識別情報が、一人のユーザに関連付けられている（１）項に記載の番組供給方法。
（８）  前記ユーザ識別情報が、前記ユーザを含むグループに関連付けられている（１）項に記載の番組供給方法。
（９）  前記ユーザ識別情報が、社会保障番号と、個人識別番号と、アカウント番号と、クレジットカード番号と、運転免許証番号と、識別コードと、ナンバ・プレート番号と、車両識別番号と、名前と、誕生日と、住所と、電話番号と、郵便番号と、市と、郡と、州と、国と、地域とから成るグループから選択された一つまたはそれ以上の識別子を含む（１）項に記載の番組提供方法。
（１０）  前記ユーザ・プロファイルが、一人のユーザに関連付けられている（１）項に記載の番組供給方法。
（１１）  前記ユーザ・プロファイルが、前記ユーザを含むグループに関連付けられている（１）項に記載の番組供給方法。
（１２）  当該番組供給方法が、前記ユーザ識別情報を受信するためにユーザ・インターフェイス装置を利用することによって実施される（１）項に記載の番組供給方法。
（１３）   当該番組供給方法が、前記番組を提供装置に送信する送信工程をさらに含む（１）項に記載の番組供給方法。
（１４） 前記番組が、無線送信システムと、アナログテレビ放送と、デジタルテレビ放送と、アナログラジオ放送と、デジタルラジオ放送と、アナログ無線通信ネットワークと、デジタル無線通信ネットワークと、マイクロ波システムと、ミリ波システムと、赤外線システムと、衛星送信システムと、有線送信システムと、アナログ・ケーブル・システムと、デジタル・ケーブル・システムと、同軸接続と、光ファイバ・リンクと、電話システムと、クローズド・サーキット・システムと、超高速デジタル加入者線と、ＶＧＤと、収録済み番組を供給するスタンド・アローン・システムと、ネットワーク接続と、インターネットと、プライベート・ネットワークと、公衆ネットワークと、無線ネットワークと、有線ネットワークと、ＡＴＭネットワークと、ワイド・エリア・ネットワークと、ローカル・エリア・ネットワークと、イントラネットと、エクストラネットとから成るグループから選択された少なくとも一つの媒体によって送信される（１３）項に記載の番組供給方法。
（１５） 前記番組が、ストリーミング番組セグメントを介して送信される（１３）項に記載の番組供給方法。
（１６） 前記番組が、メモリとデータ記憶装置とから成るグループから選択された一つ以上の装置から取得される（１）項に記載の番組供給方法。
（１７） 当該番組供給方法が、前記番組を作成する作成工程をさらに含む（１）項に記載の番組供給方法。
（１８） 前記番組が、リアル・タイムで作成される（１７）項に記載の番組供給方法。
（１９） 当該番組供給方法が、ユーザ識別部と出力部とを有する提供装置を利用することによって前記番組を提供する提供工程をさらに含む（１）項に記載の番組供給方法。
（２０） 前記少なくとも一方のユーザ識別情報とユーザ・プロファイルが、ユーザ識別装置から受信される（１）項に記載の番組供給方法。
（２１） 前記ユーザ識別装置が、無線受信器と、磁気カード・リーダと、スマート・カード・リーダと、光学リーダと、光学スキャナと、バーコード・スキャナと、ビデオ・カメラと、キーボードと、キーパッドと、タッチ・スクリーンと、音声起動型制御インターフェイスと、指紋スキャナと、音声認識回路、網膜スキャナおよびバイオメトリックス識別装置とから成るグループから選択された一つ以上の装置を含む（２０）項に記載の番組供給方法。
（２２） 前記番組が、スピーカと、プリンタと、テレビと、ホーム・シアタ・システムと、ビデオ・スクリーンと、コンピュータ・ワークステーションと、パーソナル・コンピュータと、ラップトップ・コンピュータと、オーディオ・システムと、ラジオと、オーディオ再生装置と、ＭＰ３プレーヤと、ゲーム・コンソールと、パーソナル・デジタル・アシスタントと、セット・トップ・ボックスと、電話装置と、無線電話装置と、無線装置と、インターネットが可能な電話と、ページャと、ウェブ・フォンと、ウェブ・パッドと、ウェブ・タブレットと、バーチャル・リアリティ・システムと、ヘッド・アップ・ディスプレイと、触覚または知覚認識信号ジェネレータとから成るグループから選択された少なくとも一つの提供装置を介してユーザに供給される（１）項に記載の番組供給方法。
（２３） 前記番組が、スタンド・アローン・ユニットである提供装置を介してユーザに供給される（１）項に記載の番組供給方法。
（２４） 前記番組が、前記番組を受信するためにユーザがユーザ装置に接続することを可能にする通信ハードウェアと通信ソフトウェアとを含む提供装置を介して前記ユーザに供給される（１）項に記載の番組供給方法。
（２５） 前記番組が、無線送信システムと、アナログテレビ放送と、デジタルテレビ放送と、アナログラジオ放送と、デジタルラジオ放送と、アナログ無線通信ネットワークと、デジタル無線通信ネットワークと、マイクロ波システムと、ミリ波システムと、赤外線システムと、衛星送信システムと、有線送信システムと、アナログ・ケーブル・システムと、デジタル・ケーブル・システムと、同軸接続と、光ファイバ・リンクと、電話システムと、クローズド・サーキット・システムと、超高速デジタル加入者線と、ＶＧＤと、収録済み番組を供給するスタンド・アローン・システムと、ネットワーク接続と、インターネットと、プライベート・ネットワークと、公衆ネットワークと、無線ネットワークと、有線ネットワークと、ＡＴＭネットワークと、ワイド・エリア・ネットワークと、ローカル・エリア・ネットワークと、イントラネットと、エクストラネットとから成るグループから選択された少なくとも一つの媒体を介して前記ユーザ装置に提供される（２４）項に記載の番組提供方法。
（２６） 前記番組が、広告と、娯楽番組と、教育番組と、情報番組と、テレビ番組と、ラジオ番組と、動画番組と、ビデオ・ゲーム番組と、ビデオ番組と、オーディオ番組と、生番組と、収録済み番組と、スポーツ番組と、音楽番組と、音楽ビデオ番組と、ゲーム・ショー番組と、ニュース番組と、ノン・コマーシャル番組とから成るグループから選択された少なくとも一つのフォームを含む（１）項に記載の番組供給方法。
（２７）  前記番組が、ビデオと、オーディオと、静止フレーム画像と、グラフィックと、テクスト情報と、アニメーションと、マルチメディアと、スロー・フレーム・ビデオ・データと、ビデオ静止画と、フレーム列と、バーチャル・リアリティ・データと、生データと、収録済みデータと、コンピュータによって作成されるデータとから成るグループから選択された少なくとも一つのフォーマットを含む（１）項に記載の番組供給方法。
（２８）  ターゲットが設定された番組を自宅外にいるユーザに提供する番組提供システムであって、
（ａ）提供装置と、
（ｂ）その提供装置に接続されたコントローラと
を含み、そのコントローラが、ユーザ識別情報とユーザ・プロファイルとのうちの少なくとも一方を受信すると、そのコントローラが、前記少なくとも一方のユーザ識別情報とユーザ・プロファイルに少なくとも部分的に基づいて番組を取得し、その番組を自宅外にいるユーザに提供するために提供装置に供給する番組提供システム。
（２９）  前記コントローラが、前記番組を前記提供装置に送信する（２８）項に記載の番組提供システム。
（３０）  前記コントローラが、前記番組を通信リンクを通じて供給する（２８）項に記載の番組提供システム。
（３１）  前記コントローラが、無線送信システムと、アナログテレビ放送と、デジタルテレビ放送と、アナログラジオ放送と、デジタルラジオ放送と、アナログ無線通信ネットワークと、デジタル無線通信ネットワークと、マイクロ波システムと、ミリ波システムと、赤外線システムと、衛星送信システムと、有線送信システムと、アナログ・ケーブル・システムと、デジタル・ケーブル・システムと、同軸接続と、光ファイバ・リンクと、電話システムと、クローズド・サーキット・システムと、超高速デジタル加入者線と、ＶＧＤと、収録済み番組を供給するスタンド・アローン・システムと、ネットワーク接続と、インターネット、プライベート・ネットワークと、公衆ネットワークと、無線ネットワークと、有線ネットワークと、ＡＴＭネットワークと、ワイド・エリア・ネットワークと、ローカル・エリア・ネットワークと、イントラネットと、エクストラネットとから成るグループから選択された少なくとも一つの媒体を通じて前記番組を供給する（２８）項に記載の番組提供システム。
（３２）  前記コントローラが、前記番組をストリーミング番組セグメントを介して供給する（２８）項に記載の番組提供システム。
（３３）  前記コントローラが、ネットワークと、衛星フィードと、メモリと、サーバと、データ記憶装置とから成るグループから選択された少なくとも一つのソースから前記番組を取得する（２８）項に記載の番組提供システム。
（３４）  前記コントローラが、前記番組をネットワークを介して供給する（２８）項に記載の番組提供システム。
（３５）  前記コントローラが、そのコントローラ自身によって作成された番組を取得する（２８）項に記載の番組提供システム。
（３６）  前記コントローラが、前記番組をリアル・タイムで作成する（３５）項に記載の番組提供システム。
（３７）  前記コントローラが、前記ユーザ識別情報に関連付けてユーザ・プロファイルを取得する（２８）項に記載の番組提供システム。
（３８）  前記コントローラが、メモリと、データベースと、データ記憶装置と、サーバと、ネットワークとから成るグループから選択された少なくとも一つのソースを含む（３７）項に記載の番組提供システム。
（３９）  前記コントローラが、ハブである（２８）項に記載の番組提供システム。
（４０）  前記提供装置が、固定された受信サイトに配置される（２８）項に記載の番組提供システム。
（４１）  前記番組が、前記受信サイトに保存される（４０）項に記載の番組提供システム。
（４２）  前記コントローラと前記提供装置とが、無線接続を介して接続される（２８）項に記載の番組提供システム。
（４３）  前記番組が、前記提供装置に保存される（２８）項に記載の番組提供システム。
（４４）  前記ユーザ識別情報と前記ユーザ・プロファイルとのうちの少なくとも一方が、前記提供装置に配置される（２８）項に記載の番組提供システム。
（４５）  前記ユーザ識別情報と前記ユーザ・プロファイルとのうちの少なくとも一方を供給するユーザ識別装置をさらに含む（２８）項に記載の番組提供システム。
（４６）  無線受信器と、磁気カード・リーダと、スマート・カード・リーダと、光学リーダと、光学スキャナと、バーコード・スキャナと、ビデオ・カメラと、キーボードと、キーパッドと、タッチ・スクリーンと、音声起動型制御インターフェイスと、指紋スキャナと、音声認識回路と、網膜スキャナと、バイオメトリックス識別装置とから成るグループから選択されたユーザ識別装置をさらに含む（２８）項に記載の番組提供システム。
（４７）  前記提供装置が、スピーカと、プリンタと、テレビと、ホーム・シアタ・システムと、ビデオ・スクリーンと、コンピュータ・ワークステーションと、パーソナル・コンピュータと、ラップトップ・コンピュータ、オーディオ・システムと、ラジオと、オーディオ再生装置と、ＭＰ３プレーヤと、ゲーム・コンソールと、パーソナル・デジタル・アシスタントと、セット・トップ・ボックスと、電話装置と、無線電話装置と、無線装置と、ページャと、ウェブ・フォンと、ウェブ・パッドと、ウェブ・タブレットと、バーチャル・リアリティ・システムと、ヘッド・アップ・ディスプレイと、触覚または知覚認識信号ジェネレータとから成るグループから選択された少なくとも一つの装置を含む（２８）項に記載の番組提供システム。
（４８）  前記提供装置が、スタンド・アローン・ユニットである（２８）項に記載の番組提供システム。
（４９）  前記提供装置が、ユーザ装置に接続され、そのユーザ装置が前記番組を受信するよう構成されている（２８）項に記載の番組提供システム。
（５０）  前記提供装置が、無線送信システムと、アナログテレビ放送と、デジタルテレビ放送と、アナログラジオ放送と、デジタルラジオ放送と、アナログ無線通信ネットワークと、デジタル無線通信ネットワークと、マイクロ波システムと、ミリ波システムと、赤外線システムと、衛星送信システムと、有線送信システムと、アナログ・ケーブル・システムと、デジタル・ケーブル・システムと、同軸接続と、光ファイバ・リンクと、電話システムと、クローズド・サーキット・システムと、超高速デジタル加入者線と、ＶＧＤと、収録済み番組を供給するスタンド・アローン・システムと、ネットワーク接続と、インターネットと、プライベート・ネットワークと、公衆ネットワークと、無線ネットワークと、有線ネットワークと、ＡＴＭネットワークと、ワイド・エリア・ネットワークと、ローカル・エリア・ネットワークと、イントラネットと、エクストラネットとから成るグループから選択された一つまたはそれ以上の媒体を介して前記ユーザ装置に接続される（２８）項に記載の番組提供システム。
（５１）  第２の提供装置をさらに含む（２８）項に記載の番組提供システム。
（５２）  前記コントローラが、第２の識別情報と第２のユーザ・プロファイルとのうちの少なくとも一方に少なくとも部分的に基づき、前記第２の提供装置について第２の番組を選択する（５１）項に記載の番組提供システム。
（５３）  ターゲットが設定された番組を自宅外にいるユーザに提供する番組提供システムであって、
（ａ）ユーザ識別情報とユーザ・プロファイルとのうちの少なくとも一方を受信する入力装置と、
（ｂ）その入力装置に接続され、前記前記少なくとも一方のユーザ識別情報とユーザ・プロファイルに少なくとも部分的に基づいて番組を選択するコントローラと、
（ｃ）そのコントローラに接続され、前記番組を自宅外にいるユーザに提供する提供装置と
を含む番組提供システム。
（５４）  前記コントローラが、ハブを含む（５３）項に記載の番組提供システム。
（５５）  前記入力装置と前記コントローラと前記提供装置とが、単一の受信サイトに配置される（５３）項に記載の番組提供システム。
（５６）  前記コントローラが、前記番組を前記提供装置に送信する（５３）項に記載の番組提供システム。
（５７）  前記コントローラが、前記番組を前記提供装置に供給する（５３）項に記載の番組提供システム。
（５８）  前記コントローラが、前記番組を前記提供装置に通信リンクを介して送信する（５７）項に記載の番組提供システム。
（５９）  前記コントローラが、無線送信システムと、アナログテレビ放送と、デジタルテレビ放送と、アナログラジオ放送と、デジタルラジオ放送と、アナログ無線通信ネットワークと、デジタル無線通信ネットワークと、マイクロ波システムと、ミリ波システムと、赤外線システムと、衛星送信システムと、有線送信システムと、アナログ・ケーブル・システムと、デジタル・ケーブル・システムと、同軸接続と、光ファイバ・リンクと、電話システムと、クローズド・サーキット・システムと、超高速デジタル加入者線と、ＶＧＤと、収録済み番組を供給するスタンド・アローン・システムと、ネットワーク接続と、インターネットと、プライベート・ネットワークと、公衆ネットワークと、無線ネットワークと、有線ネットワークと、ＡＴＭネットワークと、ワイド・エリア・ネットワークと、ローカル・エリア・ネットワークと、イントラネットと、エクストラネットとから成るグループから選択された少なくとも一つの媒体によって前記番組を供給する（５７）項に記載の番組提供システム。
（６０）  前記コントローラが、前記番組をストリーミング番組セグメントを介して提供する（５７）項に記載の番組提供システム。
（６１）  前記コントローラが、ネットワークと、衛星フィードと、メモリと、サーバと、データ記憶装置とから成るグループから選択された少なくとも一つのソースから前記番組を取得する（５３）項に記載の番組提供システム。
（６２）  前記コントローラが、前記番組を作成する（５３）項に記載の番組提供システム。
（６３）  前記コントローラが、前記番組をリアル・タイムで作成する（６２）項に記載の番組提供システム。
（６４）  前記コントローラが、前記ユーザ識別情報に関連付けてユーザ・プロファイルを取得する（５３）項に記載の番組提供システム。
（６５）  前記コントローラが、メモリと、データベースと、データ記憶装置と、サーバと、ネットワークとから成るグループから選択された一つ以上のソースから前記ユーザ・プロファイルを取得する（６４）項に記載の番組提供システム。
（６６）  前記コントローラが、前記ユーザ・プロファイルに少なくとも部分的に基づいて前記番組を選択する（６４）項に記載の番組提供システム。
（６７）  前記提供装置が、固定された受信サイトに配置される（５３）項に記載の番組提供システム。
（６８）  前記コントローラと前記提供装置とが、無線接続を介して接続される（５３）項に記載の番組提供システム。
（６９）   前記ユーザ識別情報と前記ユーザ・プロファイルとのうちの少なくとも一方が、前記提供装置に配置される（６８）項に記載の番組提供システム。
（７０）  前記ユーザ識別情報と前記ユーザ・プロファイルとのうちの少なくとも一方を供給するユーザ識別装置をさらに含む（５３）項に記載の番組提供システム。
（７１）  無線受信器と、磁気カード・リーダと、スマート・カード・リーダと、光学リーダと、光学スキャナと、バーコード・スキャナと、ビデオ・カメラと、キーボードと、キーパッドと、タッチ・スクリーンと、音声起動型制御インターフェイスと、指紋スキャナと、音声認識回路と、網膜スキャナと、バイオメトリックス識別装置とから成るグループから選択されたユーザ識別装置をさらに含む（５３）項に記載の番組提供システム。
（７２）  前記提供装置が、スピーカと、プリンタと、テレビと、ホーム・シアタ・システムと、ビデオ・スクリーンと、コンピュータ・ワークステーションと、パーソナル・コンピュータと、ラップトップ・コンピュータと、オーディオ・システムと、ラジオと、オーディオ再生装置と、ＭＰ３プレーヤと、ゲーム・コンソールと、パーソナル・デジタル・アシスタントと、セット・トップ・ボックスと、電話装置と、無線電話装置と、無線装置と、ページャと、ウェブ・フォンと、ウェブ・パッドと、ウェブ・タブレットと、バーチャル・リアリティ・システムと、ヘッド・アップ・ディスプレイと、触覚または知覚認識信号ジェネレータとから成るグループから選択された少なくとも一つの装置を含む（５３）項に記載の番組提供システム。
（７３）  前記提供装置が、スタンド・アローン・ユニットである（５３）項に記載の番組提供システム。
（７４）  前記提供装置が、前記番組を受信するためにユーザがユーザ装置に接続することを可能にする通信ハードウェアおよび通信ソフトウェアを含む（５３）項に記載の番組提供システム。
（７５）  第２の提供装置をさらに含む（５３）項に記載の番組提供システム。
（７６）  前記コントローラが、第２のユーザ識別情報と第２のユーザ・プロファイルとのうちの少なくとも一方に基づき、前記第２の提供装置について第２の番組を選択する（７５）項に記載の番組提供システム。
（７７）  製造物であって、
コンピュータに、
ユーザ識別情報を受信させ、
そのユーザ識別情報に関連付けてユーザ・プロファイルを取得させ、
そのユーザ・プロファイルに少なくとも部分的に基づいて番組を選択させ、さらに、
その番組を自宅外にいるユーザに提供するために供給させる、コンピュータ読み取り可能な番組コード手段を有するコンピュータ読み取り可能媒体を含む製造物。
（７８）  送信媒体内に具現化されたコンピュータ・データ信号であって、
ユーザ識別情報を有するコード・セグメントと、
そのユーザ識別情報に関連付けられたユーザ・プロファイルを有するコード・セグメントと、
自宅外にいるユーザに提供するための番組を有するコード・セグメントと
を含み、その番組が、前記ユーザ・プロファイルに少なくとも部分的に基づいて選択されるコンピュータ・データ信号。
（７９）  ターゲットが設定された番組を自宅外にいるユーザに提供する番組提供システムであって、
（ａ）ユーザ識別情報とユーザ・プロファイルとのうちの少なくとも一方を受信する受信手段と、
（ｂ）前記少なくとも一方のユーザ識別情報とユーザ・プロファイルに少なくとも部分的に基づいて番組を取得する番組取得手段と、
（ｃ）その番組を自宅外にいるユーザに提供する番組提供手段と
を含む番組提供システム。